(57)【要約】      （修正有）【課題】足指の骨変形を回避するとともに、外反母趾や槌指の症状を改善し、矯正効果を高めることができる矯正用スリッパを提供する。【解決手段】矯正用スリッパにはソール１０があり、ソールの上面は、少なくとも１つの甲の固定ストラップ２０で人体の甲に対応している。ソールの上面には間隔をあけて配置された複数の仕切りプレート３０が立設されており、各仕切りプレートは人体各足指のシームの位置に対応している。そして、隣接する２つ仕切りプレートの間の上部には、人体の足指に対応するバッフルプレート４０が跨って設けられている。ユーザーの足がソールを踏むと、甲は、甲固定ストラップと複数のバッフルプレートを通して矯正用スリッパを安定して着用できる。【選択図】図１
0003228363.tif 000002
【実用新案登録請求の範囲】
【請求項１】
一種の矯正用スリッパであり、前記矯正用スリッパはソールを有し、人体の甲に対応する前記ソールの上面の上に、少なくとも1つの甲固定ストラップが跨って配置され、前記ソールの上面には、間隔をあけて配置された複数の仕切りプレートが立設されており、各仕切りプレートは、人体各足指のシームの位置に対応し、そして、隣接する２つの仕切りプレートの間の上部には、人体の足指の上部に対応するバッフルプレートがそれぞれ跨って設置されているため、人体の甲は、前記甲固定ストラップと複数のバッフルプレートを介して前記矯正用スリッパを安定して着用でき、そして、前記仕切りプレートを使用することにより、ユーザーの各足指を伸ばして分離することを特徴とする、矯正用スリッパ。
【請求項２】
各仕切りプレートは、人体の各足指の近位指節側に対応し、各バッフルプレートは、人体の近位指節間関節の上部に対応し、各バッフルプレートの断面はアーチ形であることを特徴とする、請求項１に記載の矯正用スリッパ。
【請求項３】
各バッフルプレートは互いに連結されて波状に形成され、各仕切りプレートはそれぞれ、前記ソールの上面から上方に一体に延び、各バッフルプレートの底面に連結されていることを特徴とする、請求項２に記載の矯正用スリッパ。
【請求項４】
前記甲固定ストラップは、人の足の親指と第２足指の間の仕切りプレートによって上向きに伸ばされ、その後、後ろに向かって分岐し、それぞれ、ソールの左後端と右後端まで伸び、ソールに固定されて形成されることを特徴とする、請求項３に記載の矯正用スリッパ。
【請求項５】
各仕切りプレートおよびバッフルプレートの厚さは、２．５〜３．５ｍｍであることを特徴とする、請求項１から請求項４までのいずれかに記載の矯正用スリッパ。
【請求項６】
人間の第４足指の上方のバッフルプレートに対して足小指の上方に延伸する制限プレートが設けられていることを特徴とする、請求項１から請求項４までのいずれかに記載の矯正用スリッパ。
【請求項７】
前記ソールの上面には、人間の足が踏むための滑り止めラインが設けられていることを特徴とする、請求項１から請求項４までのいずれかに記載の矯正用スリッパ。
【請求項８】
前記ソールおよび／または仕切りプレートおよび／またはバッフルプレートは、革、シリコーンまたはゴムでできていることを特徴とする、請求項１から請求項４までのいずれかに記載の矯正用スリッパ。
【考案の詳細な説明】
【技術分野】
【０００１】
本考案は一種の矯正用スリッパであり、技術的内容は、矯正用スリッパのソール上に複数の仕切りプレートを設けることにより、ユーザーの足指が伸びたり離れたりする。
【背景技術】
【０００２】
現代の人々は先天性遺伝性であるか、または前端のスペースが小さすぎる靴を履いて、槌指、外反母趾および他の疾患など足指の骨変位を引き起こすことがある。槌指とは、足指の遠位指間の関節曲がりと変形を指す。外反母趾は、足の親指の先端が第２足指に向かって傾いているため、第1中足骨が内側に傾いていて、骨の突起が形成されており、患者の日常生活に支障やトラブルを引き起こしている。上記の症状を緩和するには、まず、足の骨が再び圧迫されるのを防ぐために、患者は前端のスペースが広い靴を履く必要があり、重症例では、手術が必要である。
【０００３】
軽度の症状を有する患者のために、外科的治療に加えて、様々なタイプの足指矯正ストラップまたは装具が市販されており、選択することができる。装具を例にとると、一般的な装具はスリーブの形であり、少なくとも1つの仕切りポストが内周に提供されているため、ユーザーが装具を着用した後、仕切りポストを足指のシームに配置できる。このようにして、足指が分離され、隣接する足指の重なりが矯正され、外反母趾、槌指などの症状によって引き起こされる不快感が緩和される。
【考案の概要】
【考案が解決しようとする課題】
【０００４】
従来の装具は、ほとんどがシリコーン材料でできており、人間の足の足指や足指のシームの位置にフィットし、振動を吸収し、足の圧力を均等に分散することができる。しかし、装具は一定の厚みとボリュームがあり、装具を装着して靴で歩くと、靴内の装具がしぼれることで足指の血液循環が悪くなり、足に不快感が生じる場合がある。
【０００５】
そこで、本考案者は、長年の研究・実務経験を積み重ね、矯正用スリッパを開発し、従来の装具と靴を同時に履いても足の違和感を改善してきた。
【課題を解決するための手段】
【０００６】
本考案の目的は、複数の仕切りプレートを備えた矯正用スリッパを提供することである。複数の仕切りプレートは人体足指のシームの位置に対応しており、これらの仕切りプレートにより、ユーザーが矯正用スリッパを履くと、それぞれの足指が伸びたり離れたりする。
【０００７】
上記の目的を達成するために、本考案の矯正用スリッパはソールを有し、少なくとも１つの甲固定ストラップが、人体の甲に対応するソール上面の上に提供される。また、ソールの上面には、間隔をあけて配置された複数の仕切りプレートが立設されており、各仕切りプレートは、人体各足指のシームの位置に対応し、そして隣接する２つ仕切りプレートの間の上部には、人体の足指に対応するバッフルプレートが跨って設置される。ユーザーの足がソールを踏むと、甲は、甲固定ストラップと複数のバッフルプレートを通して矯正スリッパを安定して着用できる。並びに仕切りプレートを使用することにより、ユーザーの足指を伸ばしたり離したりして、足指の骨変形を回避するとともに、外反母趾や槌指の症状を改善し、矯正効果を高めることができる。
【０００８】
以下は、各部材の実施形態についてさらに説明する。
【０００９】
実施形態において、各仕切りプレートは人体各足指の近位指節の側面に対応し、各バッフルプレートはそれぞれ人体の近位指節間関節の上部に対応し、各バッフルプレートの断面はアーチ型である。
【００１０】
実施形態において、各バッフルプレートは互いに接続されて波状を形成し、各仕切りプレートは、ソールの上面から上方に一体的に延び、各バッフルプレートの底面に接続される。
【００１１】
実施形態において、甲固定ストラップは、人の足の親指と第２足指の間の仕切りプレートによって上向きに伸ばされ、その後、後ろに向かって分岐し、それぞれ、ソールの左後端と右後端まで伸び、ソールに固定されて形成される。
【００１２】
実施形態において、各仕切りプレートおよびバッフルプレートの厚さは、２．５〜３．５ｍｍである。
【００１３】
実施形態において、人間の第４足指上方のバッフルプレートに対して足小指の上方に延伸する制限プレートが設けられている。
【００１４】
実施形態において、ソールの上面には、人間の足が踏むための滑り止めラインが設けられている。
【００１５】
実施形態において、ソールおよび／または仕切りプレートおよび／またはバッフルプレートは、革、シリコーンまたはゴムでできている。
【考案の効果】
【００１６】
従来技術と比較して、本考案は複数の仕切りプレートが靴底の上面に延伸して配置されている。ユーザーの足がソールを踏むと、甲は、甲固定ストラップと複数のバッフルプレートを通して矯正用スリッパを安定して着用することができる。また、仕切りプレートを使用することにより、ユーザーの足指を伸ばしたり離したりして、足指の骨変形を防止でき、従来の技術では、装具を着用してから靴を履いて歩くと足に違和感が生じるという問題を改善できる。
【００１７】
以下は、本考案の技術的手段に基づいて、本考案に適した実施形態、および図面を伴う以下の説明を列挙する。
【図面の簡単な説明】
【００１８】
【図１】本考案の立体模式図である。
【図２】本考案の一部断面図である。
【図３】本考案の使用模式図である。
【図４】図３の一部拡大図である。
【考案を実施するための形態】
【００１９】
図１から図４に示すように、本考案の矯正用スリッパは、人体の甲に対応するソール１０上面の上方に少なくとも一つの甲固定ストラップ２０が跨って備えたソール１０を有する。実施形態において、ソール１０上面には、人間の足が踏むための滑り止めライン１１が設けられている。
【００２０】
ソール１０上面は、複数の仕切りプレート３０が間隔をあけて配置されて上方に延びており、各仕切りプレート３０は、人体の各足指のシームの位置に対応している。また、隣接する２つ仕切りプレート３０の上部の間にバッフルプレート４０がそれぞれ跨って設置されており、各バッフルプレート４０は人体の各足指に対応している。
【００２１】
ユーザーの足がソール１０の上に着用すると、ユーザーの甲は、甲固定ストラップ２０および複数のバッフルプレート４０を介して矯正用スリッパを安定して着用することができる。そして、仕切りプレート３０を使用することにより、足の骨が変形しないようにユーザーの足指を伸ばしたり離したりして、足指の骨変形を防止でき、外反母趾や槌指の症状を改善し、矯正効果を高めることができる。実施形態において、ソール１０および／または仕切りプレート３０および／またはバッフルプレート４０は、ユーザーにより快適な触感を提供するために、革、シリコーンまたはゴムでできている。
【００２２】
図面において、複数の仕切りプレート３０の数は４つであり、人体の各足指の近位指節５０の側面に対応し、各バッフルプレート４０は、第２足指５２、第３足指５３、第４足指５４の近位指節間関節５１の上に対応する。また、各バッフルプレート４０の断面はアーチ状に繋がって波状に形成されており、各仕切りプレート３０は、それぞれ、ソール１０の上面から上方に一体に延びてから、各バッフルプレート４０の下面に接続されている。
【００２３】
実施形態において、制限プレート４１は、人間の足第４足指５４の上方のバッフルプレート４０に対して小指の上方に延伸するので、制限プレート４１は、ユーザーの足がソール１０の上方を踏むときの足小指の装着位置を確認するのに役立つ。
【００２４】
図２は、矯正用スリッパの複数の仕切りプレート３０、複数のバッフルプレート４０、およびソール１０の断面構造を明らかにしている。実施形態は図１から図４を参照されたい。各仕切りプレート３０およびバッフルプレート４０の厚さＤは２．５〜３．５ｍｍであり、好ましい厚さＤは３ｍｍである。ソール１０の上面の、第２足指５２に対応するバッフルプレート４０の内側までの最も高い高さＨ２は、１９〜２０ｍｍであり、好ましい高さＨ２は、１９．５ｍｍである。ソール１０の上面から第３足指５３の上方に対応する、バッフルプレート４０の内側までの最大高さＨ３は１７．５〜１８．５ｍｍであり、好ましい高さＨ３は１８ｍｍである。ソール１０の上面から第４足指５４の上方に対応する、バッフルプレート４０の内側までの最大高さＨ４は１６．５〜１７．５ｍｍであり、好ましい高さＨ４は１７ｍｍである。
【００２５】
さらに、甲固定ストラップ２０は、人の足の親指と第２足指５２との間に位置する仕切りプレート３０によって上方に延びてから、後方に向かって分岐し、そして、ソール１０の左後縁および右後縁にそれぞれ延伸して、ソール１０に固定され、「人」字形の甲固定ストラップ２０を形成する。実際の実施形態では、「人」字形をした甲の固定ストラップに限定されない。
【００２６】
以上の構成により、ユーザーの足がソール１０を踏むと、甲は、甲固定ストラップ２０と複数のバッフルプレート４０とを介して、矯正用スリッパを安定して着用することができる。そして、仕切りプレート３０を使用し、ユーザーの足指を伸ばしたり離したりすることにより、従来技術では、ユーザーが装具を同時に装着してから靴を履いて歩くため、足に違和感が生じるという問題を改善できる。
【００２７】
上記実施形態の説明および図面は、本考案の好ましい実施形態の例にすぎず、本考案の範囲を限定することを意図するものではなく、本考案の目的、構造、デバイス、機能などに相同または類似するものはすべて、本考案の請求項の範囲に含まれるものとする。
【符号の説明】
【００２８】
１０  ソール
１１  滑り止めライン
２０  甲固定ストラップ
３０  仕切りプレート
４０  バッフルプレート
４１  制限プレート
５０  近位指節
５１  近位指節間関節
５２  第２足指
５３  第３足指
５４  第４足指
Ｄ    厚さ
Ｈ２  高さ
Ｈ３  高さ
Ｈ４  高さ
【図１】
0003228363.tif 000003
【図２】
0003228363.tif 000004
【図３】
0003228363.tif 000005
【図４】
0003228363.tif 000006